(57)【要約】【課題】緩み止め機能を備えたナットにおけるナットの主体を構成する金属部分とこれに内蔵される合成樹脂製のリング体とを容易且つ適切に一体化させる。【解決手段】内側に雌ネジ部１０ａを備えたナット本体１０と、このナット本体１０の端部１０ｂにおいて前記雌ネジ部１０ａの開口を囲繞する延長部１１とを備えると共に、表面処理がなされた金属部分１と、この金属部分１をインサート物としたインサート成形によってリング外周部２０を延長部１１の内側部に一体化させると共に、リング内径をナット本体１０の内径と略等しくする合成樹脂Ｐ製のリング体２とを有する。延長部１１の内側には凹所１１ａが一カ所以上設けられており、リング体２のリング外周部２０にこの凹所１１ａに入り込んだ回り止め部２０ａが前記成形により形成されている。【選択図】図５
2014066268.tif 000002
【特許請求の範囲】
【請求項１】
内側に雌ネジ部を備えたナット本体と、このナット本体の端部において前記雌ネジ部の開口を囲繞する延長部とを備えると共に、表面処理がなされた金属部分と、
この金属部分をインサート物としたインサート成形によってリング外周部を前記延長部の内側部に一体化させると共に、リング内径を前記ナット本体の内径と略等しくする合成樹脂製のリング体とを有しており、
前記延長部の内側には凹所が一カ所以上設けられており、前記リング体のリング外周部にこの凹所に入り込んだ回り止め部が前記成形により形成されていることを特徴とするナット。
【請求項２】
凹所は、延長部の突きだし端において開放されていることを特徴とする請求項１に記載のナット。
【請求項３】
延長部は、突きだし端に内鍔状部を有しており、凹所はこの内鍔状部に形成されていることを特徴とする請求項１に記載のナット。
【発明の詳細な説明】
【技術分野】
【０００１】
この発明は、緩み止め機能を備えたナットの改良に関する。
【背景技術】
【０００２】
ナットを構成する本体内のネジ穴に連通した筒部にポリアミド製の締め付けシートを挿入した後、この筒部の上縁を折り曲げてこの締め付けシートを本体に一体化させてなる緩み止めナットがある。（特許文献１参照）すなわち、この特許文献１に記載のナットを得るには、別段に用意した前記本体と締め付けシートとを組み合わせた後、前記折り曲げをなすアセンブリを必要不可欠とする。また、円筒状の前記筒部に円板状の締め付けシートを納めるため、両者の一体性は必ずしも高くない。
【先行技術文献】
【特許文献】
【０００３】
【特許文献１】特開平１０−１６９６３０号公報（特に段落番号００２４、００２５）
【発明の概要】
【発明が解決しようとする課題】
【０００４】
この発明が解決しようとする主たる問題点は、この種の緩み止め機能を備えたナットにおけるナットの主体を構成する金属部分とこれに内蔵される合成樹脂製のリング体（特許文献１における締め付けシートに相当するもの）とを容易且つ適切に一体化させる点にある。
【課題を解決するための手段】
【０００５】
前記課題を達成するために、この発明にあっては、ナットを、内側に雌ネジ部を備えたナット本体と、このナット本体の端部において前記雌ネジ部の開口を囲繞する延長部とを備えると共に、表面処理がなされた金属部分と、
この金属部分をインサート物としたインサート成形によってリング外周部を前記延長部の内側部に一体化させると共に、リング内径を前記ナット本体の内径と略等しくする合成樹脂製のリング体とを有しており、
前記延長部の内側には凹所が一カ所以上設けられており、前記リング体のリング外周部にこの凹所に入り込んだ回り止め部が前記成形により形成されているものとした。
【０００６】
リング体のリング内径はナット本体の内径と略等しいことから、ナットをボルトにネジつけると、このボルトのネジ山をリング体に食い込ませることができ、これにより、ボルトの所望の位置にナットをネジつけた状態を安定的に維持することができる。かかるリング体のリング外周部には前記延長部に形成された凹所に入り込んだ回り止め部が形成されていることから、金属部分とリング体とは強固に一体化され、ボルトに対するナットのネジつけに際して金属部分とリング体とは遊びなく一体に回転される。また、リング体はインサート成形によりあらかじめ表面処理されている金属部分と一体化されるので、リング体を別段に用意して金属部分と組み合わせる場合に比べ、第一に両者の一体性は高く、第二に両者のアセンブリを必要せず、第三にこうしたアセンブリにおいて金属部分の表面処理を損なうことがない。また、金属部分にリング体をインサート成形により備えさせた事後に焼き付け塗装などの各種の塗装や各種のメッキ処理などの表面処理をする訳ではないので、かかる表面処理は合成樹脂性のリング体の組成に何ら影響しない。前記凹所を、前記延長部の突きだし端において外方に開放されているものとしておけば、この凹所を合成樹脂の注入路として延長部の内側に容易にリング体を成形することができる。また、かかる延長部を、突きだし端に内鍔状部を有しており、凹所はこの内鍔状部に形成されているものとしておけば、ナットをボルトにネジつける際にリング体を延長部内に強固に保持させ続けることができると共に、ボルトへのナットのネジつけ後にナット本体とリング体とが分離することはない。
【発明の効果】
【０００７】
この発明によれば、緩み止め機能を備えたナットにおけるナットの主体を構成する金属部分とこれに内蔵される合成樹脂製のリング体とを容易且つ適切に一体化させることができる。
【図面の簡単な説明】
【０００８】
【図１】図１はこの発明の一実施の形態に係るナットの平面図である。
【図２】図２は前記ナットの底面図である。
【図３】図３は前記ナットの正面図である。
【図４】図４は前記ナットの右側面図である。
【図５】図５は図１におけるＡ−Ａ線断面図である。
【図６】図６は図１におけるＢ−Ｂ線断面図である。
【図７】図７は前記ナットの使用状態を示した断面図である。
【図８】図８は前記ナットを製造する金型の一例を示した断面構成図である。
【発明を実施するための形態】
【０００９】
以下、図１〜図８に基づいて、この発明の典型的な実施の形態について、説明する。この実施の形態にかかるナットＮは、ボルトＢに対してこのナットＮをネジつけた状態を安定的に維持する機能、すなわち、緩み止め機能を備えたものである。かかるナットＮは、例えば、図７に示されるように、対象物Ｏを貫通するボルトＢの突きだし端にネジつけられてこの対象物ＯをボルトＢの基部側が固定された部材（図示は省略する。）との間で締め付ける用途などに用いられる。かかるナットＮは、金属部分１と、合成樹脂Ｐ製のリング体２とを備えている。
【００１０】
金属部分１は、ナット本体１０と、延長部１１とを有している。かかる金属部分１には、後述のインサート成形に先立って、あらかじめ表面処理が施されている。かかる表面処理としては、典型的には、焼き付け塗装などの各種の塗装や各種のメッキ処理が予定される。
【００１１】
ナット本体１０は、ナットＮの主体を構成するものであって、内側に雌ネジ部１０ａを備えている。図示の例では、ナット本体１０は、六角ナット状をなすように構成されている。すなわち、図示の例では、ナット本体１０は、その両端部１０ｂ、１０ｂ間に亘るネジ穴１０ｃを有し、このネジ穴１０ｃによって前記雌ネジ部１０ａを備えると共に、このネジ穴１０ｃの穴軸に直交する向きの断面外郭形状を六角形としている。かかるナット本体１０の全長や、前記断面外郭形状は必要に応じて変更して構わない。
【００１２】
前記延長部１１は、前記ナット本体１０の端部１０ｂにおいて前記雌ネジ部１０ａの開口を囲繞するものであって、ナット本体１０と一体をなしている。かかる延長部１１は、前記開口を巡る周回壁状を呈している。図示の例では、かかる延長部１１は、前記ナット本体１０の両端部１０ｂ、１０ｂの一方のみに形成されている。また、図示の例では、かかる延長部１１は、筒一端を前記ナット本体１０の端部１０ｂに一体に連接させた短寸の円筒状を呈している。
【００１３】
かかる延長部１１の内側には凹所１１ａが一カ所以上設けられている。図示の例では、前記ネジ穴１０ｃの穴軸を周回する方向において、隣り合う凹所１１ａとの間に間隔をあけて、六カ所の凹所１１ａ…１１ａが延長部１１の内側に設けられている。図示の例では、各凹所１１ａはそれぞれ、断面外郭形状を六角形とするナット本体１０のこの六角形の角１０ｄとなる箇所の直上位置（見方を変えれば直下位置）に形成されている。
【００１４】
この実施の形態にあっては、前記凹所１１ａは、前記延長部１１の突きだし端１１ｂにおいて外方に開放されている。また、かかる延長部１１は、突きだし端１１ｂに内鍔状部１１ｃを有しており、凹所１１ａはこの内鍔状部１１ｃに形成されている。図示の例では、凹所１１ａは、前記内鍔状部１１ｃの内側に形成された、前記穴軸に沿う向きに続く、幅方向の断面を半円弧状とした溝１１ａ’よって構成されている。
【００１５】
一方、リング体２は、前記金属部分１をインサート物としたインサート成形によってリング外周部２０を前記延長部１１の内側部に一体化させると共に、リング内径を前記ナット本体１０の内径と略等しくさせている。典型的には、前記金属部分１は、前記リング体２を成形する金型Ｍ内にこのリング体２を構成する合成樹脂Ｐを充填するに先立ってかかる金型Ｍ内に設置され、このリング体２の成形後かかる金型Ｍ内から前記リング体２を備えたこの実施の形態にかかるナットＮとなって取り出される。また、かかるリング体２のリング外周部２０には、前記延長部１１に形成された凹所１１ａに入り込んだ回り止め部２０ａが前記成形により形成されている。
【００１６】
かかるインサート成形をなすための典型的な金型Ｍの構成例を、図８に示す。（１）図中符号Ｍａで示されるのは金属部分１にネジつけられる雄ねじ部Ｍａ’を備えた金型構成部材であり、（２）符号Ｍｂで示されるのは金属部分１のナット本体１０を納める凹部Ｍｂ’を備えた一方型であり、（３）符号Ｍｃで示されるのは金属部分１の延長部１１を納めると共にその内側に前記リング体２を形成する合成樹脂Ｐの充填空間を形成させる凹部Ｍｃ’と、この凹部Ｍｃ’への合成樹脂Ｐの注入路Ｍｃ”（スプルー、ランナー及びゲート）とを備えた他方型である。リング体２の成形後、ナットＮと前記金型構成部品Ｍａは一緒に金型Ｍ内から取り出され、さらにナットＮから金型構成部品Ｍａが取り外される。
【００１７】
図示の例では、リング体２は、その一端２１をナット本体１０の端部１０ｂに密着させ、その他端２２を延長部１１の内鍔状部１１ｃの外面と同面上に位置させ、この他端２２とリング外周部２０とが接し合う隅部に前記凹所１１ａに対する相補形状となる突起状の六カ所の回り止め部２０ａ…２０ａを備えている。図示の例では、リング体２のリング内径は、金属部分１のナット本体１０の内径、つまり、雌ネジ部１０ａを構成するネジ穴１０ｃのネジ山の頂部での穴径と等しくなっているが、かかるリング内径は、ナットＮをボルトＢにネジつけたときにボルトＢのネジ山がリング体２のリング内周部に食い込む寸法であれば良く、したがって、かかる金属部分１のナット本体１０の内径よりもやや小さくても、また、かかる金属部分１のナット本体１０の内径よりもやや大きくても構わない。
【００１８】
リング体２のリング内径はナット本体１０の内径と略等しいことから、ナットＮをボルトＢにネジつけると、このボルトＢのネジ山をリング体２に食い込ませることができ、これにより、ボルトＢの所望の位置にナットＮをネジつけた状態を安定的に維持することができる。（図７）かかるリング体２のリング外周部２０には前記延長部１１に形成された凹所１１ａに入り込んだ回り止め部２０ａが形成されていることから、金属部分１とリング体２とは強固に一体化され、ボルトＢに対するナットＮのネジつけに際して金属部分１とリング体２とは遊びなく一体に回転される。また、リング体２はインサート成形によりあらかじめ表面処理されている金属部分１と一体化されるので、リング体２を別段に用意して金属部分１と組み合わせる場合に比べ、第一に両者の一体性は高く、第二に両者のアセンブリを必要せず、第三にこうしたアセンブリにおいて金属部分１の表面処理を損なうことがない。また、金属部分１にリング体２をインサート成形により備えさせた事後に焼き付け塗装などの各種の塗装や各種のメッキ処理などの表面処理をする訳ではないので、かかる表面処理は合成樹脂Ｐ性のリング体２の組成に何ら影響しない。この実施の形態にあっては、前記凹所１１ａは、前記延長部１１の突きだし端１１ｂにおいて外方に開放されていることから、この凹所１１ａを合成樹脂Ｐの注入路として延長部１１の内側に容易にリング体２を成形することができる。また、かかる延長部１１は、突きだし端１１ｂに内鍔状部１１ｃを有しており、凹所１１ａはこの内鍔状部１１ｃに形成されていることから、ナットＮをボルトＢにネジつける際にリング体２を延長部１１内に強固に保持させ続けることができると共に、ボルトＢへのナットＮのネジつけ後にナット本体１０とリング体２とが分離することはない。
【符号の説明】
【００１９】
１  金属部分
１０  ナット本体
１０ａ  雌ネジ部
１０ｂ  端部
１１  延長部
１１ａ  凹所
２  リング体
２０  リング外周部
２０ａ  回り止め部
Ｐ  合成樹脂
【図１】
2014066268.tif 000003
【図２】
2014066268.tif 000004
【図３】
2014066268.tif 000005
【図４】
2014066268.tif 000006
【図５】
2014066268.tif 000007
【図６】
2014066268.tif 000008
【図７】
2014066268.tif 000009
【図８】
2014066268.tif 000010